(57)【要約】      （修正有）【課題】夜間には、建設現場、資材置場などの仮囲いの周囲を明るく照明することができる仮囲い板を提供する。【解決手段】建設現場、資材置き場などの周囲を囲うように設置される仮囲い板である。両側に接続部を設けた長方形の板状本体１の正面に、平板状で面発光を行なうパネル型照明具２が取り付けられる。板状本体１の上端部には、太陽電池パネル３が取り付けられる。太陽電池パネル３の太陽電池が昼間に発電した電力を蓄電する蓄電池が設けられ、夜間に蓄電池から供給される電力を使用してパネル型照明具２を点灯する。【選択図】図１
0003154596.tif 000002
【実用新案登録請求の範囲】
【請求項１】
建設現場、資材置き場などの周囲を囲うように設置される仮囲い板において、
両側に接続部を設けた長方形の板状本体の正面に、平板状で面発光を行なうパネル型照明具が取り付けられ、該板状本体の上端部には、太陽電池パネルが取り付けられ、該太陽電池パネルの太陽電池が昼間に発電した電力を蓄電する蓄電池が設けられ、夜間に該蓄電池から供給される電力を使用して該パネル型照明具を点灯することを特徴とする仮囲い板。
【請求項２】
前記パネル型照明具は、平板状の導光板の縁部に対向して多数のＬＥＤが配置され、該導光板の背面側に光拡散層が設けられ、該ＬＥＤから該導光板に入射した光を該光拡散層で乱反射させ、乱反射した光を平板状の該導光板の正面から前方に放射して、面発光を行なうように構成されたことを特徴とする請求項１記載の仮囲い板。
【請求項３】
前記太陽電池パネルは前記板状本体の上部に対し支持軸により開閉可能に軸支されたことを特徴とする請求項１記載の仮囲い板。
【請求項４】
前記太陽電池パネルにはモータにより回転駆動される駆動機構が設けられる一方、該モータを時限動作させるためのタイマー回路が設けられ、該駆動機構の動作により、該太陽電池パネルが該タイマー回路の時限動作に基づき前記板状本体の上部で開閉駆動されることを特徴とする請求項３記載の仮囲い板。
【考案の詳細な説明】
【技術分野】
【０００１】
本考案は、建設現場、資材置き場などの周囲を囲うように設置される仮囲い板に関し、特に夜間には周囲を照明する機能を備えた仮囲い板に関する。
【背景技術】
【０００２】
建設現場、資材置き場などの周囲は、通常、所定の大きさの仮囲い板を並設することにより、囲われるが、この際に使用される仮囲い板は、下記特許文献１に記載されるように、薄い鋼板を長方形に裁断し、両側縦方向に半円形断面の溝部を補強用に形成して構成され、このような仮囲い板は、建設現場などの広い周囲を囲うように多数が連結されて設置される。
【０００３】
一方、建設現場は、通常、街路灯などの照明設備がないために、夜間には暗闇となる。このため、建設現場周辺の夜間の安全を確保するために、仮囲いの上部などに沿って、簡易型の照明灯、例えば長い電源線の各所に多数の照明具を取り付けた構造の照明灯が、その上部に這わせるように取り付けられ、夜間照明を行なう場合がある。
【先行技術文献】
【特許文献】
【０００４】
【特許文献１】特開平６−２８８０９８号公報
【考案の概要】
【考案が解決しようとする課題】
【０００５】
しかし、従来のこの種の仮囲いに設置される照明器具は、長い電源線の各所に多数の照明具を取り付けた簡単な構造のものであり、乱雑に照明灯を配置しただけの構造であるため、周囲の照明が不十分となりやすい問題があった。
【０００６】
また、そのような照明器具では照明デザイン性が非常に悪く、照明器具は商用電源を使用して点灯することになるため、夜間中の照明では電力費が嵩むため、充分な照明が行なわれていないのが現状である。このため、殆どの建設現場や資材置き場などは、夜間に、周囲の環境が暗闇となる場合が多くなっていた。
【０００７】
本考案は、上述の点に鑑みなされたもので、夜間には仮囲いの周囲を明るく照明することができる仮囲い板を提供することを目的とする。
【課題を解決するための手段】
【０００８】
このために、本考案の請求項１に係る仮囲い板は、建設現場、資材置き場などの周囲を囲うように設置される仮囲い板において、両側に接続部を設けた長方形の板状本体の正面に、平板状で面発光を行なうパネル型照明具が取り付けられ、該板状本体の上端部には、太陽電池パネルが取り付けられ、該太陽電池パネルの太陽電池が昼間に発電した電力を蓄電する蓄電池が設けられ、夜間に該蓄電池から供給される電力を使用して該パネル型照明具を点灯することを特徴とする。
【０００９】
この考案によれば、仮囲い板の板状本体の正面に設けられたパネル型照明具が、夜間には点灯して、周囲を照明するので、このような仮囲い板を用いて、建設現場などを囲うだけで、夜間にはその周囲を照明することができる。また、商用電力を使用しないため、そのための配線を敷設する必要がなく、電力費も不要となる。
【００１０】
また、請求項２の考案は、上記請求項１の仮囲い板において、パネル型照明具が、平板状の導光板の縁部に対向して多数のＬＥＤを配置し、導光板の背面側に光拡散層を設けて、ＬＥＤから導光板に入射した光を該光拡散層で乱反射させた光を、平板状の導光板の正面から前方に放射して面発光を行なうように構成したことを特徴とする。
【００１１】
この考案によれば、ＬＥＤを用いた照明具により少ない消費電力量で、照度の高い照明を効果的に行なうことができ、さらに、平板状の導光板の正面を面発光させるので、建設現場などの周囲を囲う仮囲いの周囲の歩道などを、柔らかい光で照明することができる。
【００１２】
また、請求項３の考案は、上記請求項１の仮囲い板において、上記太陽電池パネルが上記板状本体の上部に対し支持軸により開閉可能に軸支されたことを特徴とする。
【００１３】
この考案によれば、昼間には、太陽電池パネルを板状本体上部で開いて、太陽光を効率よく受光し、夜間や強風時には太陽電池パネルを閉じることにより、太陽電池パネルの破損を防止することができる。
【００１４】
また、請求項４の考案は、上記請求項３の仮囲い板において、上記太陽電池パネルがモータにより回転駆動する駆動機構が設けられる一方、該モータを時限動作させるためのタイマー回路が設けられ、該駆動機構の動作により、タイマー回路の時限動作に基づき、該太陽電池パネルが板状本体の上部で開閉駆動されることを特徴とする。
【００１５】
この考案によれば、タイマー回路の時限動作により、モータと駆動機構を動作させて、昼間には太陽電池パネルを開き、夜間には太陽電池パネルを閉じる動作を自動的に行なうことができる。
【考案の効果】
【００１６】
本考案の仮囲い板によれば、夜間には、仮囲いの周囲を明るく照明することができる。また、太陽電池を電源とし商用電力を使用しないため、照明器具の配線を敷設する必要がなく、従来どおり仮囲いを簡単に設置するのみで、パネル型照明具により仮囲い周辺を明るく照明することができる。
【図面の簡単な説明】
【００１７】
【図１】本考案の一実施形態を示す仮囲い板の正面図である。
【図２】同仮囲い板の太陽電池パネルを開いた状態の側面図である。
【図３】同仮囲い板の太陽電池パネルを閉じた状態の側面図である。
【図４】パネル型照明具の拡大正面図である。
【図５】図１のV-V断面図である。
【図６】パネル型照明具の点灯用に使用される電気回路のブロック図である。
【考案を実施するための形態】
【００１８】
以下、本考案の一実施形態を図面に基づいて説明する。図１は仮囲い板の正面図を示している。この仮囲い板は、建設現場、資材置き場などの周囲を囲うように設置される仮囲いであり、概略的には、両側に接続部１１，１２を設けた長方形の板状本体１の正面に、平板状で面発光を行なうパネル型照明具２が取り付けられ、さらに、板状本体１の上端部には、太陽電池パネル３が取り付けられ、太陽電池パネル３の太陽電池４が昼間に発電した電力を蓄電する蓄電池５が設けられ、夜間に、蓄電池５から供給される電力を使用してパネル型照明具２を点灯するように構成される。
【００１９】
仮囲い板の板状本体１は、例えば約１ｍｍ厚の亜鉛鋼板などを、長方形に裁断し、両側に、平面視でくの字状に曲折した接続部１１、及び略半円形の溝を縦方向に形成した接続部１２を設けて構成される。仮囲い板は、このような接続部１１、１２を相互に組み合わせて接続することにより、多数の仮囲い板が並設されて仮囲いを形成するようになっている。また、板状本体１の背面には、足場用鋼管に固定するための固定係止部１３が設けられ、仮囲いの内側に配設される足場用鋼管に係止されて立設される構造となっている。
【００２０】
このような板状本体１の正面下部に、平板状で面発光を行なうパネル型照明具２が取り付けられる。このパネル型照明具２は、図４に示すように、長方形枠状のフレーム８内に導光板７を配設し、導光板７の両側に多数のＬＥＤ６を、導光板７内に光を放射するように配置して構成される。
【００２１】
導光板７は透明合成樹脂板から形成され、両側端部から光を内部に入射可能であり、その背面側には、光拡散反射層が設けられている。これにより、多数のＬＥＤ６によって導光板７内にその両側から光が入射すると、背面の光拡散反射層で拡散反射された光が正面側に放射され、導光板７の正面全体が発光面となって発光するように構成される。
【００２２】
さらに、導光板７の正面側には、例えば乳白色の透光性板がフレーム８の正面全体を覆うように取り付けられ、この透光性板がパネル型照明具２の発光面を形成し、パネル型照明具２の正面つまり仮囲い板の前面に向けて照明光を放射する構造となっている。
【００２３】
さらに、このパネル型照明具２のＬＥＤ６に電力を供給するために、太陽電池パネル３が、仮囲い板の板状本体１の上端部に装着される。太陽電池パネル３は、図１〜３に示すように、２枚の板状の太陽電池パネルから構成され、板状本体１の上端部に水平に取り付けた支持軸３ａにより回動可能に枢支され、太陽電池パネル３は板状本体１上で開閉可能に取り付けられる。つまり、水平に支持された支持軸３ａの両側に、２枚の太陽電池パネルが回動可能に支持されており、水平面または鉛直面に対し、太陽電池パネル３の角度が変更できるようになっている。
【００２４】
図６は上記太陽電池パネル３に内蔵された太陽電池４を電源として、パネル型照明具２内のＬＥＤ６を点灯駆動する電気回路の構成ブロック図を示している。太陽電池４で発電された電力を蓄電するために、蓄電池５が接続されている。蓄電池５としては、リチュームイオン電池、小型密閉式鉛蓄電池などを使用することができる。太陽電池４で発電された電力は、逆流防止用ダイオード１６と定電圧充電回路１８を通して、蓄電池５に充電されるように接続されている。
【００２５】
定電圧充電回路１８は昼間、太陽電池４が所定レベル以上の起電力を発生するとき、蓄電池５に一定電圧の充電電流を流し、蓄電池５に蓄電するように構成される。一方、蓄電池５には点灯回路１７が接続され、太陽電池４と点灯回路１７の間には、昼と夜を判別してその判別信号を出力する昼夜判別回路１９が接続される。
【００２６】
点灯回路１７は、昼夜判別回路１９からの判別信号に基づき、パネル型照明具２のＬＥＤ６を点灯駆動しオンオフする回路である。昼夜判別回路１９によって太陽電池４の起電力の電圧が検出されその電圧が設定値より低い場合、昼夜判別回路１９が夜間と判定して夜間の判別信号を点灯回路１７に出力し、このとき、点灯回路１７は、ＬＥＤ６を点灯駆動し、蓄電池５に蓄電された電力を電源として、パネル型照明具２が点灯し照明動作する。
【００２７】
一方、太陽電池４の起電力が設定値より高い場合、昼夜判別回路１９が昼間と判定して昼間の判別信号を点灯回路１７に出力し、点灯回路１７はＬＥＤ６を消灯する。これにより、昼間、パネル型照明具２は消灯状態となり、太陽電池４で発電された電力は、定電圧充電回路１８を通して蓄電池５に供給され、蓄電されるように構成される。
【００２８】
これらの蓄電池５、点灯回路１７、定電圧充電回路１８、昼夜判別回路１９などの電気回路は、パネル型照明具２内の一部に設置することができ、或いは専用のボックスを板状本体１の背面などの一部に取り付け、そこに電気回路などを設置することもできる。
【００２９】
また、パネル型照明具２は板状本体１の正面側に取り付けたが、板状本体１の内側一部を切り抜き、その開口部にパネル型照明具２を嵌め込むように取り付けることもできる。
【００３０】
また、太陽電池パネル３においては、パネル枠の前面側に、断面三角形の反射面部３ｂを形成し、その部分に照射された太陽光を太陽電池４側に反射させて太陽の照度を増加させるようにすることもできる。
【００３１】
上記構成の仮囲い板は、建設現場、資材置き場などの周囲を囲うように設置される。仮囲い板の設置は、従来と同様、現場内に組まれた足場用鋼管に対し、仮囲い板を並べて並設するように取り付けられ、各板状本体１はその背面の固定係止部１３を、足場用鋼管に係止させて固定される。この状態で、板状本体１の正面に設けたパネル型照明具２は仮囲い板の正面側に配置されるので、仮囲いの外側周辺がパネル型照明具２により照明することが可能となる。
【００３２】
夜間には、図３に示すように、仮囲い板の上部の太陽電池パネル３は、上部の支持軸３ａを軸に下側に回動されて、閉じた状態とされる。これにより、夜間、強風などによる太陽電池パネル３の破損を防止することができる。
【００３３】
そして夜間になり、昼夜判別回路１９が夜と判定してその判定信号を点灯回路１７に出力すると、点灯回路１７がオン動作し、蓄電池５からの電力をＬＥＤ６に供給し、ＬＥＤ６が点灯駆動される。これにより、パネル型照明具２が照明動作を行って、仮囲い板の正面付近が明るく照明される。
【００３４】
一方、昼間になり、昼夜判別回路１９が昼と判定してその判定信号を点灯回路１７に出力すると、点灯回路１７がオフ動作し、ＬＥＤ６を消灯する。そして、昼間の太陽光を受けて太陽電池パネル３の太陽電池４が発電を開始すると、その起電力が定電圧充電回路１８を経て蓄電池５に供給され、蓄電池５に蓄電が行なわれる。このような蓄電池５への蓄電動作は、太陽電池パネル３が太陽光を受けて発電する昼間中に実施され、夜間にパネル型照明具２のＬＥＤ６が消費する電力量が蓄電されることとなる。また、昼間には、図２のように、仮囲い板の上部の太陽電池パネル３が、上方の太陽に向かって開いた状態とされ、効率よく太陽光を受光して、太陽電池４は発電することができる。
【００３５】
なお、太陽電池パネル３を図２のように開き、図３のように閉じる動作は、手動操作により行なうことができるが、モータ駆動により太陽電池パネル３を開閉動作することもできる。この場合、太陽電池パネル３をモータの回転駆動力により回動させるようにし、そのモータを時限動作させるためのタイマー回路を設け、タイマー回路の時限動作に基づき、太陽電池パネル３を夜間には板状本体１の上部で閉じた状態とし、昼間には太陽電池パネル３を開くように動作させる。
【００３６】
このように、仮囲い板の板状本体１の正面に設けられたパネル型照明具２が、夜間には点灯して、周囲を照明するので、このような仮囲い板を用いて、建設現場や資材置き場などを囲うだけで、夜間にはその周囲を照明することができる。また、商用電力を使用しないため、そのための配線を敷設する必要がなく、電力費も不要となる。さらに、ＬＥＤ６を用いたパネル型照明具２により少ない消費電力量で、照度の高い照明を効果的に行なうことができ、パネル型照明具２は平板状の導光板７の正面を面発光させるので、仮囲いの外側に突き出した部分ができず、建設現場などの周囲の歩道などを、柔らかい光で照明することができる。
【符号の説明】
【００３７】
１      板状本体
２      パネル型照明具
３      太陽電池パネル
３ａ    支持軸
４      太陽電池
５      蓄電池
６      ＬＥＤ
７      導光板
１１    接続部
１２    接続部
１３    固定係止部
１６    逆流防止用ダイオード
１７    点灯回路
１８    定電圧充電回路
１９    昼夜判別回路
【図１】
0003154596.tif 000003
【図２】
0003154596.tif 000004
【図３】
0003154596.tif 000005
【図４】
0003154596.tif 000006
【図５】
0003154596.tif 000007
【図６】
0003154596.tif 000008